(57)【要約】【課題】第１および第２テープファスナを傾斜させた状態でターゲットテープに止着するように誘導することができる使い捨ておむつを提供する。【解決手段】使い捨ておむつ１０Ａでは、第１テープファスナ２３の肌非当接面にテープファスナ２３を前端部１４の方向へ誘導する所定厚みの第１案内テープ２９が取り付けられ、第２テープファスナ２４の肌非当接面にテープファスナ２４を股下域１２の方向へ誘導する所定厚みの第２案内テープ３５が取り付けられている。第１案内テープ２９は、第１テープファスナ２３の内端部から外端部に向かって第２テープファスナ２４に次第に近づくように横方向仮想線に対して傾斜している。第２案内テープ３５は、第２テープファスナ２４の内端部から外端部に向かって第１テープファスナ２３に次第に近づくように横方向仮想線に対して傾斜している。【選択図】図１
2006068281.tif 000002
【特許請求の範囲】
【請求項１】
縦方向に前胴周り域および後胴周り域と、それら胴周り域の間に位置する股下域とが画成され、前記前胴周り域に横方向へ延びる前端部と、前記後胴周り域に横方向へ延びる後端部と、前記前後胴周り域間に縦方向へ延びる両側部とを有するとともに、前記股下域の側に位置して前記後胴周り域の両側部から横方向外方へ延びる第１テープファスナと、前記後端部の側に位置して前記後胴周り域の両側部から横方向外方へ延びる第２テープファスナとを有し、前記前胴周り域の肌非当接面に前記第１および第２テープファスナを着脱可能に止着するターゲットテープが取り付けられ、装着時に前記第１および第２テープファスナを前記ターゲットテープに止着して前記前胴周り域と前記後胴周り域とを連結する使い捨ておむつにおいて、
前記第１テープファスナを前記ターゲットテープに止着するときに該第１テープファスナを前記前端部の方向へ誘導する所定厚みの第１案内テープが、前記第１テープファスナの肌非当接面に取り付けられて該第１テープファスナの内端部と外端部との間に延び、前記第１案内テープが、前記第１テープファスナの内端部から外端部に向かって前記第２テープファスナに次第に近づくように該第１および第２テープファスナの離間寸法を二分する横方向仮想線に対して傾斜していることを特徴とする前記おむつ。
【請求項２】
前記第１案内テープが、前記第１テープファスナの内端部から前記股下域に向かって延長されて前記後胴周り域の両側部に延びている請求項１記載のおむつ。
【請求項３】
前記第１テープファスナの外端部に位置する前記第１案内テープの先端部が、該第１案内テープの延びる方向を指し示すように前記第１テープファスナの内端部から外端部に向かって先細りの矢印形を有する請求項１または請求項２に記載のおむつ。
【請求項４】
前記第２テープファスナを前記ターゲットテープに止着するときに該第２テープファスナを前記股下域の方向へ誘導する所定厚みの第２案内テープが、前記第２テープファスナの肌非当接面に取り付けられて該第２テープファスナの内端部と外端部との間に延び、前記第２案内テープが、前記第２テープファスナの内端部から外端部に向かって前記第１テープファスナに次第に近づくように前記横方向仮想線に対して傾斜している請求項１ないし請求項３いずれかに記載のおむつ。
【請求項５】
前記第２案内テープが、前記第２テープファスナの内端部から前記後端部に向かって延長されて前記後胴周り域の両側部に延びている請求項４記載のおむつ。
【請求項６】
前記第２テープファスナの外端部に位置する前記第２案内テープの先端部が、該第２案内テープの延びる方向を指し示すように前記第２テープファスナの内端部から外端部に向かって先細りの矢印形を有する請求項４または請求項５に記載のおむつ。
【請求項７】
前記第１テープファスナを前記ターゲットテープに止着するときに該第１テープファスナを前記前端部の方向へ誘導する所定厚みの第３案内テープが、前記後胴周り域の両側部の肌当接面に取り付けられて前記第１テープファスナの内端部から前記股下域に向かって延び、前記第３案内テープが、前記第１テープファスナの内端部から前記股下域に向かって前記横方向仮想線から次第に離間するように該仮想線に対して傾斜している請求項１ないし請求項６いずれかに記載のおむつ。
【請求項８】
前記第１テープファスナの内端部に位置する前記第３案内テープの先端部が、該第３案内テープの延びる方向を指し示すように前記股下域の側から前記第１テープファスナの内端部に向かって先細りの矢印形を有する請求項７記載のおむつ。
【請求項９】
前記第２テープファスナを前記ターゲットテープに止着するときに該第２テープファスナを前記股下域の方向へ誘導する所定厚みの第４案内テープが、前記後胴周り域の両側部の肌当接面に取り付けられて前記第２テープファスナの内端部から前記後端部に向かって延び、前記第４案内テープが、前記第２テープファスナの内端部から前記後端部に向かって前記横方向仮想線から次第に離間するように該仮想線に対して傾斜している請求項１ないし請求項８いずれかに記載のおむつ。
【請求項１０】
前記第２テープファスナの内端部に位置する前記第４案内テープの先端部が、該第４案内テープの延びる方向を指し示すように前記後端部の側から前記第２テープファスナの内端部に向かって先細りの矢印形を有する請求項９記載のおむつ。
【発明の詳細な説明】
【技術分野】
【０００１】
本発明は、装着時に前胴周り域と後胴周り域とを連結する使い捨ておむつに関する。
【背景技術】
【０００２】
縦方向に前胴周り域および後胴周り域と、それら胴周り域の間に位置する股下域とが画成され、前胴周り域に横方向へ延びる前端部と、後胴周り域に横方向へ延びる後端部と、前後胴周り域間に縦方向へ延びる両側部とを有するとともに、股下域の側に位置して後胴周り域の両側部から横方向外方へ延びる一対の伸縮性第１テープファスナと、後端部の側に位置して後胴周り域の両側部から横方向外方へ延びる一対の伸縮性第２テープファスナとを有し、前胴周り域の肌非当接面にそれらテープファスナを着脱可能に止着するターゲットテープが取り付けられた開放型の使い捨ておむつがある（特許文献１参照）。
【０００３】
保護者や介護者がこのおむつを着用者に装着するには、おむつの後胴周り域に着用者の臀部を乗せた後、後胴周り域の両側部を前胴周り域の両側部の外側に重ね合わせ、第１テープファスナと第２テープファスナとを指で摘持し、第１テープファスナを横方向へ引っ張りながらターゲットテープに止着するとともに、第２テープファスナを横方向へ引っ張りながらターゲットテープに止着して前胴周り域と後胴周り域とを連結する。それらテープファスナを介して前後胴周り域を連結すると、前後端部に囲繞された胴周り開口と股下域の両側部に囲繞された一対の脚周り開口とが形成される。このおむつでは、着用者の脚周りの締め付けに第１テープファスナが利用され、着用者の胴周りの締め付けに第２テープファスナが利用される。
【特許文献１】特開２００３−４７６２９号公報
【発明の開示】
【発明が解決しようとする課題】
【０００４】
おむつの装着時には、第１テープファスナを前端部の方向へ向かって引っ張り、第１テープファスナを股下域の側から前端部の側に向かって傾斜させた状態でターゲットテープに止着することが好ましい。このようにすることで、股下域の両側部を着用者の脚周りに確実に密着させることができ、両側部が着用者の脚周りを強く締め付けるので、脚周り開口からの排泄物の漏れを確実に防ぐことができる。また、開放型のおむつは、その装着中に後胴周り域が着用者の臀部に支えられるので、後胴周り域が前胴周り域よりもずれ下がり難く、おむつの装着時に後端部を前端部の上方に位置させて前胴周り域が後胴周り域に吊されるようにすることが好ましい。このようにすることで、前胴周り域がずれ下がり難い後胴周り域に支えられ、装着中におけるおむつ全体のずれ下がりを防ぐことができる。おむつの装着時に後端部を前端部の上方に位置させるには、第２テープファスナを股下域の方向へ向かって引っ張り、第２テープファスナを前端部の側から股下域の側に向かって傾斜させた状態でターゲットテープに止着すればよい。
【０００５】
特許文献１に開示のおむつでは、第１テープファスナを股下域の側から前端部の側に向かって傾斜させた状態でターゲットテープに止着させる誘導手段がなく、第２テープファスナを前端部の側から股下域の側に向かって傾斜させた状態でターゲットテープに止着させる誘導手段がないので、第１テープファスナや第２テープファスナを傾斜させた状態でターゲットテープに止着することはない。このおむつは、その装着時に股下域の両側部を着用者の脚周りに密着させることができない場合があり、排泄物が脚周り開口から漏れてしまう場合がある。また、このおむつは、後端部が前端部の上方に位置した状態で装着されることはなく、おむつがその装着中に不用意にずれ下がってしまう場合がある。
【０００６】
本発明の目的は、第１および第２テープファスナを傾斜させた状態でターゲットテープに止着するように誘導することができる使い捨ておむつを提供することにある。
【課題を解決するための手段】
【０００７】
前記課題を解決するための本発明の前提は、縦方向に前胴周り域および後胴周り域と、それら胴周り域の間に位置する股下域とが画成され、前胴周り域に横方向へ延びる前端部と、後胴周り域に横方向へ延びる後端部と、前後胴周り域間に縦方向へ延びる両側部とを有するとともに、股下域の側に位置して後胴周り域の両側部から横方向外方へ延びる第１テープファスナと、後端部の側に位置して後胴周り域の両側部から横方向外方へ延びる第２テープファスナとを有し、前胴周り域の肌非当接面に第１および第２テープファスナを着脱可能に止着するターゲットテープが取り付けられ、装着時に第１および第２テープファスナをターゲットテープに止着して前胴周り域と後胴周り域とを連結する使い捨ておむつである。
【０００８】
前記前提における本発明の特徴は、第１テープファスナをターゲットテープに止着するときに該第１テープファスナを前端部の方向へ誘導する所定厚みの第１案内テープが、第１テープファスナの肌非当接面に取り付けられて該第１テープファスナの内端部と外端部との間に延び、第１案内テープが、第１テープファスナの内端部から外端部に向かって第２テープファスナに次第に近づくように該第１および第２テープファスナの離間寸法を二分する横方向仮想線に対して傾斜していることにある。本発明では、所定厚みの第１案内テープを指で摘持することで指先に容易に力が入り、第１案内テープを介して第１テープファスナを強く摘持することができ、第１案内テープの延びる方向へ第１テープファスナを容易に引っ張ることができる。本発明は、第１テープファスナをターゲットテープに止着するときに、第１案内テープが第１テープファスナをおむつの前端部の側に向かって引っ張るように誘導する。
【０００９】
本発明の実施態様の一例としては、第１案内テープが第１テープファスナの内端部から股下域に向かって延長されて後胴周り域の両側部に延びている。この態様の発明では、第１案内テープを介して第１テープファスナを強く摘持することができ、第１案内テープの延びる方向へ第１テープファスナを容易に引っ張ることができることに加え、後胴周り域の両側部に延びる第１案内テープを摘持した指が第１案内テープ上を移動して第１テープファスナに達し、そのまま第１案内テープの延びる方向へ第１テープファスナを引っ張るので、第１案内テープが第１テープファスナをおむつの前端部の側に向かって引っ張るように確実に誘導する。
【００１０】
本発明の実施態様の他の一例としては、第１テープファスナの外端部に位置する第１案内テープの先端部が該第１案内テープの延びる方向を指し示すように第１テープファスナの内端部から外端部に向かって先細りの矢印形を有する。この態様の発明では、第１案内テープを介して第１テープファスナを強く摘持することができ、第１案内テープの延びる方向へ第１テープファスナを容易に引っ張ることができることに加え、先端部が矢印形を有する第１案内テープの視覚的な効果によって、第１案内テープが第１テープファスナをおむつの前端部の側に向かって引っ張るように確実に誘導する。
【００１１】
本発明の実施態様の他の一例としては、第２テープファスナをターゲットテープに止着するときに該第２テープファスナを股下域の方向へ誘導する所定厚みの第２案内テープが、第２テープファスナの肌非当接面に取り付けられて該第２テープファスナの内端部と外端部との間に延び、第２案内テープが、第２テープファスナの内端部から外端部に向かって第１テープファスナに次第に近づくように横方向仮想線に対して傾斜している。この態様の発明では、所定厚みの第２案内テープを指で摘持することで指先に容易に力が入り、第２案内テープを介して第２テープファスナを強く摘持することができ、第２案内テープの延びる方向へ第２テープファスナを容易に引っ張ることができる。この態様の発明は、第２テープファスナをターゲットテープに止着するときに、第２案内テープが第２テープファスナをおむつの股下域の側に向かって引っ張るように誘導する。
【００１２】
本発明の実施態様の他の一例としては、第２案内テープが第２テープファスナの内端部から後端部に向かって延長されて後胴周り域の両側部に延びている。この態様の発明では、第２案内テープを介して第２テープファスナを強く摘持することができ、第２案内テープの延びる方向へ第２テープファスナを容易に引っ張ることができることに加え、後胴周り域の両側部に延びる第２案内テープを摘持した指が第２案内テープ上を移動して第２テープファスナに達し、そのまま第２案内テープの延びる方向へ第２テープファスナを引っ張るので、第２案内テープが第２テープファスナをおむつの股下域の側に向かって引っ張るように確実に誘導する。
【００１３】
本発明の実施態様の他の一例としては、第２テープファスナの外端部に位置する第２案内テープの先端部が該第２案内テープの延びる方向を指し示すように第２テープファスナの内端部から外端部に向かって先細りの矢印形を有する。この態様の発明では、第２案内テープを介して第２テープファスナを強く摘持することができ、第２案内テープの延びる方向へ第２テープファスナを容易に引っ張ることができることに加え、先端部が矢印形を有する第２案内テープの視覚的な効果によって、第２案内テープが第２テープファスナをおむつの股下域の側に向かって引っ張るように確実に誘導する。
【００１４】
本発明の実施態様の他の一例としては、第１テープファスナをターゲットテープに止着するときに該第１テープファスナを前端部の方向へ誘導する所定厚みの第３案内テープが、後胴周り域の両側部の肌当接面に取り付けられて第１テープファスナの内端部から股下域に向かって延び、第３案内テープが、第１テープファスナの内端部から股下域に向かって横方向仮想線から次第に離間するように該仮想線に対して傾斜している。この態様の発明では、後胴周り域の両側部に延びる第３案内テープを摘持した指が第３案内テープ上を移動して第１テープファスナに達し、そのまま第１および第３案内テープの延びる方向へ第１テープファスナを引っ張るので、第１案内テープとともに第３案内テープが第１テープファスナをおむつの前端部の側に向かって引っ張るように誘導する。
【００１５】
本発明の実施態様の他の一例としては、第１テープファスナの内端部に位置する第３案内テープの先端部が該第３案内テープの延びる方向を指し示すように股下域の側から第１テープファスナの内端部に向かって先細りの矢印形を有する。この態様の発明では、先端部が矢印形を有する第３案内テープの視覚的な効果によって、第３案内テープが第１テープファスナをおむつの前端部の側に向かって引っ張るように確実に誘導する。
【００１６】
本発明の実施態様の他の一例としては、第２テープファスナをターゲットテープに止着するときに該第２テープファスナを股下域の方向へ誘導する所定厚みの第４案内テープが、後胴周り域の両側部の肌当接面に取り付けられて第２テープファスナの内端部から後胴周り域の後端部に向かって延び、第４案内テープが、第２テープファスナの内端部から後端部に向かって横方向仮想線から次第に離間するように該仮想線に対して傾斜している。この態様の発明では、後胴周り域の両側部に延びる第４案内テープを摘持した指が第４案内テープ上を移動して第２テープファスナに達し、そのまま第２および第４案内テープの延びる方向へ第２テープファスナを引っ張るので、第２案内テープとともに第４案内テープが第２テープファスナをおむつの股下域の側に向かって引っ張るように誘導する。
【００１７】
本発明の実施態様の他の一例としては、第２テープファスナの内端部に位置する第４案内テープの先端部が該第４案内テープの延びる方向を指し示すように後端部の側から第２テープファスナの内端部に向かって先細りの矢印形を有する。この態様の発明では、先端部が矢印形を有する第４案内テープの視覚的な効果によって、第４案内テープが第２テープファスナをおむつの股下域の側に向かって引っ張るように確実に誘導する。
【発明の効果】
【００１８】
本発明に係る使い捨ておむつによれば、第１案内テープが第１テープファスナをおむつの前端部の側に向かって引っ張るように誘導するので、第１テープファスナをターゲットテープに止着するときに、保護者や介護者が第１テープファスナを前端部の方向へ向かって引っ張り、第１テープファスナを股下域の側から前端部の側に向かって傾斜させた状態でターゲットテープに止着する。このおむつは、両側部を着用者の脚周りに確実に密着させることができ、股下域の両側部が着用者の脚周りを強く締め付けるので、脚周り開口からの排泄物の漏れを確実に防ぐことができる。
【００１９】
第１案内テープが第１テープファスナの内端部から股下域に向かって延長されて後胴周り域の両側部に延びているおむつは、第１案内テープを介して第１テープファスナを強く摘持することができ、第１案内テープの延びる方向へ第１テープファスナを容易に引っ張ることができることに加え、後胴周り域の両側部に延びる第１案内テープを摘持した指が第１案内テープ上を移動して第１テープファスナに達し、そのまま第１案内テープの延びる方向へ第１テープファスナを引っ張るので、第１案内テープがその延びる方向へ第１テープファスナを引っ張るように確実に誘導する。このおむつは、第１テープファスナをターゲットテープに止着するときに、保護者や介護者が第１テープファスナを前端部の方向へ向かって引っ張り、第１テープファスナを股下域の側から前端部の側に向かって傾斜させた状態でターゲットテープに止着する。このおむつは、両側部を着用者の脚周りに確実に密着させることができ、股下域の両側部が着用者の脚周りを強く締め付けるので、脚周り開口からの排泄物の漏れを確実に防ぐことができる。
【００２０】
第１案内テープの先端部が第１テープファスナの内端部から外端部に向かって先細りの矢印形を有するおむつでは、第１案内テープを介して第１テープファスナを強く摘持することができ、第１案内テープの延びる方向へ第１テープファスナを容易に引っ張ることができることに加え、先端部が矢印形を有する第１案内テープの視覚的な効果によって、第１案内テープがその延びる方向へ第１テープファスナを引っ張るように確実に誘導する。このおむつは、第１テープファスナをターゲットテープに止着するときに、保護者や介護者が第１テープファスナを前端部の方向へ向かって引っ張り、第１テープファスナを股下域の側から前端部の側に向かって傾斜させた状態でターゲットテープに止着する。このおむつは、両側部を着用者の脚周りに確実に密着させることができ、股下域の両側部が着用者の脚周りを強く締め付けるので、脚周り開口からの排泄物の漏れを確実に防ぐことができる。
【００２１】
第２テープファスナをターゲットテープに止着するときに該第２テープファスナを股下域の方向へ誘導する所定厚みの第２案内テープが第２テープファスナの肌非当接面に取り付けられたおむつは、第２案内テープが第２テープファスナをおむつの股下域の側に向かって引っ張るように誘導するので、第２テープファスナをターゲットテープに止着するときに、保護者や介護者が第２テープファスナを前端部の方向へ向かって引っ張り、第２テープファスナを前端部の側から股下域の側に向かって傾斜させた状態でターゲットテープに止着する。このおむつは、その装着時に後端部を前端部の上方に位置させることで、おむつの装着中に前胴周り域が後胴周り域に吊され、前胴周り域がずれ下がり難い後胴周り域に支えられるので、装着中におけるおむつ全体のずれ下がりを防ぐことができる。
【００２２】
第２案内テープが第２テープファスナの内端部から後端部に向かって延長されて後胴周り域の両側部に延びているおむつは、第２案内テープを介して第２テープファスナを強く摘持することができ、第２案内テープの延びる方向へ第２テープファスナを容易に引っ張ることができることに加え、後胴周り域の両側部に延びる第２案内テープを摘持した指が第２案内テープ上を移動して第２テープファスナに達し、そのまま第２案内テープの延びる方向へ第２テープファスナを引っ張るので、第２案内テープがその延びる方向へ第２テープファスナを引っ張るように確実に誘導する。このおむつは、第２テープファスナをターゲットテープに止着するときに、保護者や介護者が第２テープファスナを股下域の方向へ向かって引っ張り、第２テープファスナを前端部の側から股下域の側に向かって傾斜させた状態でターゲットテープに止着する。このおむつは、その装着時に後端部を前端部の上方に位置させることで、おむつの装着中に前胴周り域が後胴周り域に吊され、前胴周り域がずれ下がり難い後胴周り域に支えられるので、装着中におけるおむつ全体のずれ下がりを確実に防ぐことができる。
【００２３】
第２案内テープの先端部が第２テープファスナの内端部から外端部に向かって先細りの矢印形を有するおむつでは、第２案内テープを介して第２テープファスナを強く摘持することができ、第２案内テープの延びる方向へ第２テープファスナを容易に引っ張ることができることに加え、先端部が矢印形を有する第２案内テープの視覚的な効果によって、第２案内テープがその延びる方向へ第２テープファスナを引っ張るように確実に誘導する。このおむつは、第２テープファスナをターゲットテープに止着するときに、保護者や介護者が第２テープファスナを股下域の方向へ向かって引っ張り、第２テープファスナを前端部の側から股下域の側に向かって傾斜させた状態でターゲットテープに止着する。このおむつは、その装着時に後端部を前端部の上方に位置させることで、おむつの装着中に前胴周り域が後胴周り域に吊され、前胴周り域がずれ下がり難い後胴周り域に支えられるので、装着中におけるおむつ全体のずれ下がりを確実に防ぐことができる。
【００２４】
第１テープファスナをターゲットテープに止着するときに該第１テープファスナを前端部の方向へ誘導する所定厚みの第３案内テープが後胴周り域の両側部の肌当接面に取り付けられたおむつは、第１案内テープとともに第３案内テープがその延びる方向へ第１テープファスナを引っ張るように誘導し、第１テープファスナをターゲットテープに止着するときに、保護者や介護者が第１テープファスナを前端部の方向へ向かって引っ張り、第１テープファスナを股下域の側から前端部の側に向かって傾斜させた状態でターゲットテープに止着する。このおむつは、両側部を着用者の脚周りに確実に密着させることができ、股下域の両側部が着用者の脚周りを強く締め付けるので、脚周り開口からの排泄物の漏れを確実に防ぐことができる。
【００２５】
第３案内テープの先端部が股下域の側から第１テープファスナの内端部に向かって先細りの矢印形を有するおむつでは、先端部が矢印形を有する第３案内テープの視覚的な効果によって、第１案内テープとともに第３案内テープがその延びる方向へ第１テープファスナを引っ張るように確実に誘導する。
【００２６】
第２テープファスナをターゲットテープに止着するときに該第２テープファスナを股下域の方向へ誘導する所定厚みの第４案内テープが後胴周り域の両側部の肌当接面に取り付けられたおむつは、第２案内テープとともに第４案内テープがその延びる方向へ第２テープファスナを引っ張るように誘導し、第２テープファスナをターゲットテープに止着するときに、保護者や介護者が第２テープファスナを股下域の方向へ向かって引っ張り、第２テープファスナを前端部の側から股下域の側に向かって傾斜させた状態でターゲットテープに止着する。このおむつは、その装着時に後端部を前端部の上方に位置させることで、おむつの装着中に前胴周り域が後胴周り域に吊され、前胴周り域がずれ下がり難い後胴周り域に支えられるので、装着中におけるおむつ全体のずれ下がりを確実に防ぐことができる。
【００２７】
第４案内テープの先端部が後端部の側から第２テープファスナの内端部に向かって先細りの矢印形を有するおむつでは、先端部が矢印形を有する第４案内テープの視覚的な効果によって、第２案内テープとともに第４案内テープがその延びる方向へ第２テープファスナを引っ張るように確実に誘導する。
【発明を実施するための最良の形態】
【００２８】
添付の図面を参照し、本発明に係る使い捨ておむつの詳細を説明すると、以下のとおりである。
【００２９】
図１，２は、一例として示す使い捨ておむつ１０Ａの部分破断斜視図と、第１および第２テープファスナ２３，２４を含む後胴周り域１３の側部１８の拡大図とであり、図３，４は、図１の３−３線端面図と、図１の４−４線端面図とである。図１では、横方向を矢印Ｌ、縦方向を矢印Ｍで示し、厚み方向を矢印Ｎで示す。図２には、第１および第２テープファスナ２３，２４の縦方向の離間寸法を二分する横方向仮想線Ｌ１が表示されている。なお、肌当接面とは、着用者の肌に対向する面をいい、肌非当接面とは、着用者の肌に非対向の面をいう。
【００３０】
おむつ１０Ａは、縦方向に前胴周り域１１および後胴周り域１３と、それら胴周り域１１，１３の間に位置する股下域１２とを有し、前胴周り域１１に横方向へ延びる前端部１４と、後胴周り域１３に横方向へ延びる後端部１５と、前後胴周り域１１，１３間に縦方向へ延びる両側部１６，１７，１８とを有する。おむつ１０Ａは、肌当接側に位置する透液性表面シート１９と、肌非当接側に位置する不透液性裏面シート２０と、表面シート１９の外面の側に位置して縦方向へ延びる一対の不透液性防漏シート２１と、表裏面シート１９，２０の間に介在してそれらシート１９，２０に接合された吸液性コア２２とから構成されている。おむつ１０Ａでは、前後胴周り域１１，１３の両側部１６，１８の横寸法が股下域１２の両側部１７のそれよりも大きく、その平面形状が砂時計型を有する。おむつ１０Ａは、横方向へ延びる同形同大の一対の第１テープファスナ２３と、第１テープファスナ２３の縦方向上方に位置して横方向へ延びる同形同大の一対の第２テープファスナ２４とを有する。それらテープファスナ２３，２４は、縦方向へ所定寸法離間して並んでいる。
【００３１】
表面シート１９には、親水性繊維不織布が使用されている。裏面シート２０には、２枚の疎水性繊維不織布をラミネートした複合不織布が使用されている。防漏シート２１には、撥水処理が施された疎水性繊維不織布が使用されている。コア２２は、前後端部１４，１５と両側部１６，１７，１８とを除く前後胴周り域１１，１３と股下域１２とに配置されている。コア２２は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア２２は、その型崩れを防止するため、全体がティッシュペーパー（図示せず）に包被されている。
【００３２】
第１テープファスナ２３は、股下域１２の側に位置して後胴周り域１３の両側部１８から横方向外方へ延びている。テープファスナ２３は、両側部１８の側に位置する内端部２５と、内端部２５の反対側に位置する外端部２７と、内外端部２５，２７の間に位置する中間部２６とを有する。中間部２６の肌当接面には、複数のフックを有する雄型のメカニカルファスナ２８が取り付けられている。両側部１８の肌非当接面とテープファスナ２３の肌非当接面とには、直線状かつ一連に延びる所定厚みの細長い第１案内テープ２９が取り付けられている。
【００３３】
第１案内テープ２９は、第１テープファスナ２３の内端部２５と外端部２７との間に延びるとともに、テープファスナ２３の内端部２５から股下域１２に向かって延びている。案内テープ２９は、股下域１２から第１テープファスナ２３の外端部２７に向かって第２テープファスナ２４に次第に近づくように横方向仮想線Ｌ１に対して所定の角度で傾斜している。案内テープ２９を仮想線Ｌ１まで延長したときの仮想線Ｌ１に対する案内テープ２９の傾斜角度θ１は、３０〜６０度の範囲にある。テープファスナ２３の外端部２７に位置する案内テープ２９の先端部３０は、案内テープ２９の延びる方向を指し示すようにテープファスナ２３の内端部２５から外端部２７に向かって先細りの矢印形を有する。
【００３４】
案内テープ２９は、互いに重なり合う少なくとも２枚の繊維不織布から形成され、裏面シート２０に接着剤（図示せず）を介して固着されている。案内テープ２９は、テープファスナ２３の肌非当接面と両側部１８の肌非当接面とからおむつ１０Ａの厚み方向へ出っ張っている。案内テープ２９は、裏面シート２０の色調と異なる色調を有する。裏面シート２０が白色または乳白色の場合、案内テープ２９は青色や赤色、緑色等に着色されている。ただし、案内テープ２９は、裏面シート２０の色調と同一であってもよい。
【００３５】
第２テープファスナ２４は、後端部１５の側に位置して後胴周り域１３の両側部１８から横方向外方へ延びている。テープファスナ２４は、両側部１８の側に位置する内端部３１と、内端部３１の反対側に位置する外端部３３と、内外端部３１，３３の間に位置する中間部３２とを有する。中間部３２の肌当接面には、複数のフックを有する雄型のメカニカルファスナ３４が取り付けられている。テープファスナ２４の肌非当接面には、直線状かつ一連に延びる所定厚みの細長い第２案内テープ３５が取り付けられている。
【００３６】
第２案内テープ３５は、第２テープファスナ２４の内端部３１と外端部３３との間に延びている。案内テープ３５は、第２テープファスナ２４の内端部３１から外端部３３に向かって第１テープファスナ２３に次第に近づくように横方向仮想線Ｌ１に対して所定の角度で傾斜している。案内テープ３５を仮想線Ｌ１まで延長したときの仮想線Ｌ１に対する案内テープ３５の傾斜角度θ２は、３０〜６０度の範囲にある。テープファスナ２４の外端部３３に位置する案内テープ３５の先端部３６は、案内テープ３５の延びる方向を指し示すようにテープファスナ２４の内端部３１から外端部３３に向かって先細りの矢印形を有する。
【００３７】
案内テープ３５は、互いに重なり合う少なくとも２枚の繊維不織布から形成され、裏面シート２０に接着剤（図示せず）を介して固着されている。案内テープ３５は、テープファスナ２４の肌非当接面からおむつ１０Ａの厚み方向へ出っ張っている。案内テープ３５は、裏面シート２０の色調と異なる色調を有する。裏面シート２０が白色または乳白色の場合、案内テープ３５は青色や赤色、緑色等に着色されている。ただし、案内テープ３５は、裏面シート２０の色調と同一であってもよい。
【００３８】
前胴周り域１１の肌非当接面には、第１および第２テープファスナ２３，２４を着脱可能に止着する可撓性のターゲットテープ３７が取り付けられている。ターゲットテープ３７には、プラスチックフィルムとフィルムから突出する複数のループとから形成された雌型のメカニカルファスナ３８が使用されている。ターゲットテープ３７は、横長矩形を有し、裏面シート２０に接着剤（図示せず）を介して固着されている。
【００３９】
図５，６は、図１の５−５線矢視断面図と、図１の６−６線矢視断面図とである。防漏シート２１は、両側部１６，１７，１８に固着されて縦方向へ延びる固定側部３９と、固定側部３９に並行して縦方向へ延びていて表面シート１９の上方へ起立性向を有する自由部４０と、おむつ１０Ａの横方向内方へ倒伏した状態で前後端部１４，１５に固着された固定両端部４１とから形成されている。固定側部３９と自由部４０とは、前後端部１４，１５間に延びている。自由部４０には、縦方向へ延びる伸縮性弾性部材４２が収縮可能に取り付けられている。弾性部材４２は、縦方向へ所定の倍率に伸長された状態で自由部４０に固着されている。弾性部材４２が収縮すると、おむつ１０Ａが表面シート１９を内側にして縦方向へ湾曲するとともに、防漏シート２１の自由部４０が縦方向へ縮んで表面シート１９の上方へ起立し、自由部４０が排泄物に対する障壁を形成する。おむつ１０Ａは、起立する防漏シート２１の自由部４０によって排泄物の横漏れが防止される。
【００４０】
前後端部１４，１５は、コア２２の端縁４３から縦方向外方へ延びる表裏面シート１９，２０の端部４４，４５と防漏シート２１の端部４１とから形成されている。前後端部１４，１５では、表裏面シート１９，２０の端部４４，４５と防漏シート２１の端部４１とが重なり合い、それらシート１９，２０，２１どうしが固着されている。後端部１５には、横方向へ延びる複数条の胴周り用弾性部材４６が収縮可能に取り付けられている。胴周り用弾性部材４６は、表面シート１９の端部４４と裏面シート２０の端部４５と間に介在し、横方向へ所定の倍率に伸長させた状態でそれらシート１９，２０に固着されている。
【００４１】
両側部１６，１７，１８は、コア２２の側縁４７から横方向外方へ延びる表裏面シート１９，２０の側部４８，４９と防漏シート２１の側部３９とから形成されている。両側部１６，１７，１８では、表面シート１９の側部４８がコア２２の側縁４７から横方向外方へわずかに延び、側部４８からさらに横方向外方へ裏面シート２０の側部４９と防漏シート２１の側部３９とが延びている。両側部１６，１７，１８では、表裏面シート１９，２０の側部４８，４９と防漏シート２１の側部３９とが重なり合い、それらシート１９，２０，２１どうしが固着されている。両側部１６，１７，１８には、縦方向へ延びる複数条の脚周り用弾性部材５０が収縮可能に取り付けられている。脚周り用弾性部材５０は、裏面シート２０の側部４９と防漏シート２１の側部３９との間に介在し、横方向へ所定の倍率に伸長させた状態でそれらシート２０，２１に固着されている。
【００４２】
図７は、装着手順を示す図１のおむつ１０Ａの斜視図である。保護者や介護者がこのおむつ１０Ａを着用者に装着する手順の一例は、以下のとおりである。おむつ１０Ａの後胴周り域１３に着用者の臀部を載せた後、後胴周り域１３の両側部１８を前胴周り域１１の両側部１６の外側に重ね合わせ、第１テープファスナ２３をターゲットテープ３７に止着するとともに、第２テープファスナ２４をターゲットテープ３７に止着する。第１テープファスナ２３をターゲットテープ３７に止着するには、テープファスナ２３を指で摘持し、テープファスナ２３をターゲットテープ３７の所定の位置に移動させる。保護者や介護者が第１テープファスナ２３を指で摘持すると、第１案内テープ２９が指に接する。保護者や介護者は、所定厚みの案内テープ２９を指で摘持することで指先に容易に力が入り、案内テープ２９を介してテープファスナ２３を強く摘持することができ、案内テープ２９の延びる方向へ張力を加え易いことを認識するとともに、先端部３０の矢印形の視覚的な効果によって案内テープ２９の延びる方向へテープファスナ２３を引っ張るものと認識する。保護者や介護者は、案内テープ２９に誘導され、案内テープ２９を指で摘持した状態でテープファスナ２３を矢印Ｍ１で示す前端部１４の方向（案内テープ２９の延びる方向）へ引っ張りながらターゲットテープ３７に止着する。テープファスナ２３を前端部１４の方向へ引っ張りながらターゲットテープ３７に止着すると、内端部２５が股下域１２の側に位置するとともに外端部２７が前端部１４の側に位置するように、テープファスナ２３が股下域１２の側から前端部１４の側に向かって傾斜した状態でターゲットテープ３７に止着される。なお、後胴周り域１３の両側部１８に延びる第１案内テープ２９を摘持した場合、指が案内テープ２９上を移動して第１テープファスナ２３に達し、案内テープ２９に誘導されてそのままテープファスナ２３を前端部１４の方向（第１案内テープ２９の延びる方向）へ引っ張るので、テープファスナ２３が股下域１２の側から前端部１４の側に向かって傾斜した状態でターゲットテープ３７に止着される。
【００４３】
第２テープファスナ２４をターゲットテープ３７に止着するには、テープファスナ２４を指で摘持し、テープファスナ２４をターゲットテープ３７の所定の位置に移動させる。保護者や介護者が第２テープファスナ２４を指で摘持すると、第２案内テープ３５が指に接する。保護者や介護者は、所定厚みの案内テープ３５を指で摘持することで指先に容易に力が入り、案内テープ３５を介してテープファスナ２４を強く摘持することができ、案内テープ３５の延びる方向へ張力を加え易いことを認識するとともに、先端部３６の矢印形の視覚的な効果によって案内テープ３５の延びる方向へテープファスナ２４を引っ張るものと認識する。保護者や介護者は、案内テープ３５に誘導され、案内テープ３５を指で摘持した状態でテープファスナ２４を矢印Ｍ２で示す股下域１２の方向（案内テープ３５の延びる方向）へ引っ張りながらターゲットテープ３７に止着する。テープファスナ２４を股下域１２の方向へ引っ張りながらターゲットテープ３７に止着すると、内端部３１が前端部１４の側に位置するとともに外端部３３が股下域１２の側に位置するように、テープファスナ２４が前端部１４の側から股下域１２の側に向かって傾斜した状態でターゲットテープ３７に止着される。第１および第２テープファスナ２３，２４をターゲットテープ３７に止着すると、それらテープファスナ２３，２４を介して前胴周り域１１と後胴周り域１３とが連結され、前後端部１４，１５に囲繞された胴周り開口５１と股下域１２の両側部１７に囲繞された一対の脚周り開口５２とが形成される。おむつ１０Ａの着用中に排泄された尿や大便は、表面シート１９を透過してコア２２に吸収保持される。
【００４４】
おむつ１０Ａは、第１案内テープ２９が第１テープファスナ２３を前端部１４の側に向かって引っ張るように誘導し、テープファスナ２３をターゲットテープ３７に止着するときに、保護者や介護者がテープファスナ２３を前端部１４の方向へ向かって引っ張り、テープファスナ２３が股下域１２の側から前端部１４の側に向かって傾斜した状態でターゲットテープ３７に止着されるので、股下域１２の両側部１７を着用者の脚周りに確実に密着させることができ、両側部１７が着用者の脚周りを強く締め付け、脚周り開口５２からの排泄物の漏れを確実に防ぐことができる。
【００４５】
おむつ１０Ａは、第２案内テープ３５が第２テープファスナ２４を股下域１２の側に向かって引っ張るように誘導し、テープファスナ２４をターゲットテープ３７に止着するときに、保護者や介護者がテープファスナ２４を股下域１２の方向へ向かって引っ張り、テープファスナ２４が前端部１４の側から股下域１２の側に向かって傾斜した状態でターゲットテープ３７に止着され、おむつ１０Ａの装着時に後端部１５が前端部１４よりも上方に位置する。おむつ１０Ａは、その装着中に前胴周り域１１が後胴周り域１３に吊され、前胴周り域１１がずれ下がり難い後胴周り域１３に支えられるので、装着中におけるおむつ１０Ａ全体のずれ下がりを防ぐことができる。
【００４６】
図８，９は、他の一例として示す使い捨ておむつ１０Ｂの部分破断斜視図と、第１および第２テープファスナ２３，２４を含む後胴周り域１３の側部１８の拡大図とであり、図１０は、図８の１０−１０線端面図である。図８では、横方向を矢印Ｌ、縦方向を矢印Ｍで示し、厚み方向を矢印Ｎで示す。図９には、第１および第２テープファスナ２３，２４の縦方向の離間寸法を二分する横方向仮想線Ｌ１が表示されている。
【００４７】
おむつ１０Ｂは、縦方向に前胴周り域１１および後胴周り域１３と、それら胴周り域１１，１３の間に位置する股下域１２とを有するとともに、横方向へ延びる前後端部１４，１５と、縦方向へ延びる両側部１６，１７，１８とを有する。おむつ１０Ｂは、透液性表面シート１９および不透液性裏面シート２０と、縦方向へ延びる一対の不透液性防漏シート２１と、表裏面シート１９，２０の間に介在する吸液性コア２２とから構成されている。おむつ１０Ｂは、第１案内テープ２９が取り付けられた一対の第１テープファスナ２３と、第２案内テープ３５が取り付けられた一対の第２テープファスナ２４とを有する。それらテープファスナ２３，２４は、縦方向へ所定寸法離間して並んでいる。表面シート１９には、図１のそれと同一の親水性繊維不織布が使用され、裏面シート２０には、図１のそれと同一の複合不織布が使用されている。防漏シート２１には、図１のそれと同一の疎水性繊維不織布が使用されている。コア２２は、図１のそれと同一の混合物であり、全体がティッシュペーパー（図示せず）に包被されている。第１および第２案内テープ２３，２４は、互いに重なり合う少なくとも２枚の繊維不織布から形成されている。
【００４８】
このおむつ１０Ｂが図１のそれと異なるのは、後胴周り域１３の両側部１９の肌当接面に直線状かつ一連に延びる所定厚みの第３案内テープ５３が取り付けられている点であり、その他の構成は図１のおむつ１０Ａと同一であるから、図１のおむつ１０Ａと同一の符合を付してこのおむつ１０Ｂにおけるその他の構成の説明は省略する。
【００４９】
第３案内テープ５３は、両側部１９を挟んで第１案内テープ２９と重なり、第１テープファスナ２３の内端部２５から股下域１３に向かって延びている。案内テープ５３は、テープファスナ２３の内端部２５から股下域１３に向かって横方向仮想線Ｌ１から次第に離間するように仮想線Ｌ１に対して所定の角度で傾斜している。案内テープ５３を仮想線Ｌ１まで延長したときの仮想線Ｌ１に対する案内テープ５３の傾斜角度θ３は、３０〜６０度の範囲にある。テープファスナ２３の内端部２５近傍に位置する案内テープ５３の先端部５４は、案内テープ５３の延びる方向を指し示すように股下域１３の側からテープファスナ２３の内端部２５に向かって先細りの矢印形を有する。
【００５０】
案内テープ５３は、互いに重なり合う少なくとも２枚の繊維不織布から形成され、防漏シート２１に接着剤（図示せず）を介して固着されている。案内テープ５３は、両側部１９の肌当接面からおむつ１０Ｂの厚み方向へ出っ張っている。案内テープ５３は、表面シート１９や防漏シート２１の色調と異なる色調を有する。表面シート１９や防漏シート２１が白色または乳白色の場合、案内テープ５３は青色や赤色、緑色等に着色されている。ただし、案内テープ５３は、表面シート１９や防漏シート２１の色調と同一であってもよい。
【００５１】
このおむつ１０Ｂを着用者に装着する手順は図１のおむつ１０Ａのそれと同一であるから、その説明は省略する。保護者や介護者は、所定厚みの第１案内テープ２９を指で摘持することで指先に容易に力が入り、案内テープ２９を介してテープファスナ２３を強く摘持することができ、案内テープ２９の延びる方向へ張力を加え易いことを認識するとともに、先端部３０の矢印形の視覚的な効果に加え、案内テープ５３の先端部５４の矢印形の視覚的な効果によってそれら案内テープ２９，５３の延びる方向へテープファスナ２３を引っ張るものと認識する。保護者や介護者が後胴周り域１３の両側部１９に延びる第１および第３案内テープ２９，５３を摘持した場合、指がそれら案内テープ２９，５３上を移動して第１テープファスナ２３に達し、それら案内テープ２９，５３に誘導されてそのままテープファスナ２３を前端部１４の方向（第１および第３案内テープ２９，５３の延びる方向）へ引っ張るので、内端部２５が股下域１２の側に位置するとともに外端部２７が前端部１４の側に位置するように、テープファスナ２３が股下域１２の側から前端部１４の側に向かって傾斜した状態でターゲットテープ３７に止着される（図７参照）。
【００５２】
おむつ１０Ｂは、第１および第３案内テープ２９，５３が第１テープファスナ２３を前端部１４の側に向かって引っ張るように誘導し、テープファスナ２３をターゲットテープ３７に止着するときに、保護者や介護者がテープファスナ２３を前端部１４の方向へ向かって引っ張り、テープファスナ２３が股下域１２の側から前端部１４の側に向かって傾斜した状態でターゲットテープ３７に止着されるので、股下域１２の両側部１７を着用者の脚周りに確実に密着させることができ、両側部１７が着用者の脚周りを強く締め付け、脚周り開口５２からの排泄物の漏れを確実に防ぐことができる。また、おむつ１０Ｂは、第２案内テープ３５が第２テープファスナ２４を股下域１２の側に向かって引っ張るように誘導し、テープファスナ２４が前端部１４の側から股下域１２の側に向かって傾斜した状態でターゲットテープ３７に止着され、おむつ１０Ｂの装着時に後端部１５が前端部１４の上方に位置する。おむつ１０Ｂは、その着用中に前胴周り域１１が後胴周り域１３に吊され、前胴周り域１１がずれ下がり難い後胴周り域１３に支えられるので、装着中におけるおむつ１０Ｂ全体のずれ下がりを防ぐことができる。
【００５３】
図１１，１２は、他の一例として示す使い捨ておむつ１０Ｃの部分破断斜視図と、第１および第２テープファスナ２３，２４を含む後胴周り域１３の側部１８の拡大図とであり、図１３，１４は、第１および第２テープファスナ２３，２４を含む後胴周り域１３の側部１８の拡大図と、図１１の１４−１４線端面図とである。図１１では、横方向を矢印Ｌ、縦方向を矢印Ｍで示し、厚み方向を矢印Ｎで示す。図１２，１３には、第１および第２テープファスナ２３，２４の縦方向の離間寸法を二分する横方向仮想線Ｌ１が表示されている。図１２では側部１８の肌当接面を示し、図１３では側部１８の肌非当接面を示す。
【００５４】
おむつ１０Ｃは、縦方向に前胴周り域１１および後胴周り域１３と、それら胴周り域１１，１３の間に位置する股下域１２とを有するとともに、横方向へ延びる前後端部１４，１５と、縦方向へ延びる両側部１６，１７，１８とを有する。おむつ１０Ｃは、透液性表面シート１９および不透液性裏面シート２０と、縦方向へ延びる一対の不透液性防漏シート２１と、表裏面シート１９，２０の間に介在する吸液性コア２２とから構成されている。おむつ１０Ｃは、第１案内テープ２９が取り付けられた一対の第１テープファスナ２３と、第２案内テープ３５が取り付けられた一対の第２テープファスナ２４とを有する。それらテープファスナ２３，２４は、縦方向へ所定寸法離間して並んでいる。表面シート１９には、図１のそれと同一の親水性繊維不織布が使用され、裏面シート２０には、図１のそれと同一の複合不織布が使用されている。防漏シート２１には、図１のそれと同一の疎水性繊維不織布が使用されている。コア２２は、図１のそれと同一の混合物であり、全体がティッシュペーパー（図示せず）に包被されている。第１および第２案内テープ２３，２４は、互いに重なり合う少なくとも２枚の繊維不織布から形成されている。
【００５５】
このおむつ１０Ｃが図１のそれと異なるのは、第２案内テープ３５が第２テープファスナ２４の内端部３１から後端部１５に向かって延長されて後胴周り域１３の両側部１８に延びている点と、後胴周り域１３の両側部１９の肌当接面に直線状かつ一連に延びる所定厚みの第３および第４案内テープ５３，５５が取り付けられている点とであり、その他の構成は図１のおむつ１０Ａと同一であるから、図１のおむつ１０Ａと同一の符合を付してこのおむつ１０Ｃにおけるその他の構成の説明は省略する。
【００５６】
第３案内テープ５３は、両側部１９を挟んで第１案内テープ２９と重なり、第１テープファスナ２３の内端部２５から股下域１３に向かって延びている。案内テープ５３は、テープファスナ２３の内端部２５から股下域１３に向かって横方向仮想線Ｌ１から次第に離間するように仮想線Ｌ１に対して所定の角度で傾斜している。案内テープ５３を仮想線Ｌ１まで延長したときの仮想線Ｌ１に対する案内テープ５３の傾斜角度θ３は、３０〜６０度の範囲にある。テープファスナ２３の内端部２５近傍に位置する案内テープ５３の先端部５４は、案内テープ５３の延びる方向を指し示すように股下域１３の側からテープファスナ２３の内端部２５に向かって先細りの矢印形を有する。
【００５７】
第４案内テープ５５は、両側部１９を挟んで第２案内テープ３５と重なり、第２テープファスナ２４の内端部３１から後端部１５に向かって延びている。案内テープ５５は、テープファスナ２４の内端部３１から後端部１５に向かって横方向仮想線Ｌ１から次第に離間するように仮想線Ｌ１に対して所定の角度で傾斜している。案内テープ５５を仮想線Ｌ１まで延長したときの仮想線Ｌ１に対する案内テープ５５の傾斜角度θ４は、３０〜６０度の範囲にある。テープファスナ２４の内端部３１近傍に位置する案内テープ５５の先端部５６は、案内テープ５５の延びる方向を指し示すように後端部１５の側からテープファスナ２４の内端部３１に向かって先細りの矢印形を有する。
【００５８】
それら案内テープ５３，５５は、互いに重なり合う少なくとも２枚の繊維不織布から形成され、防漏シート２１に接着剤（図示せず）を介して固着されている。案内テープ５３，５５は、両側部１９の肌当接面からおむつ１０Ｃの厚み方向へ出っ張っている。案内テープ５３，５５は、表面シート１９や防漏シート２１の色調と異なる色調を有する。表面シート１９や防漏シート２１が白色または乳白色の場合、案内テープ５３，５５は青色や赤色、緑色等に着色されている。ただし、案内テープ５３，５５は、表面シート１９や防漏シート２１の色調と同一であってもよい。
【００５９】
このおむつ１０Ｃを着用者に装着する手順は図１のおむつ１０Ａのそれと同一であるから、その説明は省略する。保護者や介護者は、所定厚みの第１案内テープ２９を指で摘持することで指先に容易に力が入り、案内テープ２９を介してテープファスナ２３を強く摘持することができ、案内テープ２９の延びる方向へ張力を加え易いことを認識するとともに、先端部３０の矢印形の視覚的な効果に加え、案内テープ５３の先端部５４の矢印形の視覚的な効果によってそれら案内テープ２９，５３の延びる方向へテープファスナ２３を引っ張るものと認識する。保護者や介護者が後胴周り域１３の両側部１９に延びる第１および第３案内テープ２９，５３を摘持した場合、指がそれら案内テープ２９，５３上を移動して第１テープファスナ２３に達し、それら案内テープ２９，５３に誘導されてそのままテープファスナ２３を前端部１４の方向（第１および第３案内テープ２９，５３の延びる方向）へ引っ張るので、内端部２５が股下域１２の側に位置するとともに外端部２７が前端部１４の側に位置するように、テープファスナ２３が股下域１２の側から前端部１４の側に向かって傾斜した状態でターゲットテープ３７に止着される（図７参照）。
【００６０】
また、保護者や介護者は、所定厚みの第２案内テープ３５を指で摘持することで指先に容易に力が入り、案内テープ３５を介してテープファスナ２４を強く摘持することができ、案内テープ３５の延びる方向へ張力を加え易いことを認識するとともに、先端部３６の矢印形の視覚的な効果に加え、案内テープ５５の先端部５６の矢印形の視覚的な効果によってそれら案内テープ３５，５５の延びる方向へテープファスナ２４を引っ張るものと認識する。保護者や介護者が後胴周り域１３の両側部１９に延びる第２および第４案内テープ３５，５５を摘持した場合、指がそれら案内テープ３５，５５上を移動して第２テープファスナ２４に達し、それら案内テープ３５，５５に誘導されてそのままテープファスナ２４を股下域１３の方向（第２および第４案内テープ３５，５５の延びる方向）へ引っ張るので、内端部３１が前端部１４の側に位置するとともに外端部３３が股下域１２の側に位置するように、テープファスナ２４が前端部１４の側から股下域１２の側に向かって傾斜した状態でターゲットテープ３７に止着される（図７参照）。
【００６１】
おむつ１０Ｃは、第１および第３案内テープ２９，５３が第１テープファスナ２３を前端部１４の側に向かって引っ張るように誘導し、テープファスナ２３をターゲットテープ３７に止着するときに、保護者や介護者がテープファスナ２３を前端部１４の方向へ向かって引っ張り、テープファスナ２３が股下域１２の側から前端部１４の側に向かって傾斜した状態でターゲットテープ３７に止着されるので、股下域１２の両側部１７を着用者の脚周りに確実に密着させることができ、両側部１７が着用者の脚周りを強く締め付け、脚周り開口５２からの排泄物の漏れを確実に防ぐことができる。また、おむつ１０Ｃは、第２および第４案内テープ３５，５５が第２テープファスナ２４を股下域１２の側に向かって引っ張るように誘導し、テープファスナ２４が前端部１４の側から股下域１２の側に向かって傾斜した状態でターゲットテープ３７に止着され、おむつ１０Ｃの装着時に後端部１５が前端部１４の上方に位置する。おむつ１０Ｃは、その着用中に前胴周り域１１が後胴周り域１３に吊され、前胴周り域１１がずれ下がり難い後胴周り域１３に支えられるので、装着中におけるおむつ１０Ｃ全体のずれ下がりを防ぐことができる。
【００６２】
おむつ１０Ａでは、第１案内テープ２９が第１テープファスナ２３の内端部２５と外端部２６との間のみに延びていてもよく、第２テープファスナ２４に第２案内テープ３５が取り付けられていなくてもよい。おむつ１０Ｂでは、第２テープファスナ２４に第２および第３案内テープ３５，５３が取り付けられていなくてもよい。おむつ１０Ｃでは、第２テープファスナ２４に第２〜第４案内テープ３５，５３，５５が取り付けられていなくてもよい。また、第１および第２テープファスナ２３，２４の中間部２７，３２には、メカニカルファスナ２８，３４ではなく、粘着剤が塗布されていてもよい。それらテープファスナ２３，２４の中間部２７，３２に粘着剤を塗布する場合は、ターゲットテープ３７にプラスチックフィルムが使用される。
【００６３】
表面シート１９には、親水性繊維不織布の他に、多数の開孔を有する疎水性繊維不織布、微細な多数の開孔を有するプラスチックフィルムのいずれかを使用することもできる。裏面シート２０には、疎水性繊維不織布、通気不透液性プラスチックフィルム、疎水性繊維不織布と通気不透液性プラスチックフィルムとをラミネートした複合シートのいずれかを使用することもできる。裏面シート２０や防漏シート２１には、高い耐水性を有するメルトブローン不織布の両面または片面に高い強度と良好な柔軟性とを有するスパンボンド不織布をラミネートした複合不織布（ＳＭ不織布、ＳＭＳ不織布、ＳＭＭＳ不織布）を使用することもできる。繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。不織布の構成繊維には、芯鞘型複合繊維、並列型複合繊維、異型中空繊維、微多孔繊維、接合型複合繊維を使用することもできる。
【００６４】
表裏面シート１９，２０どうしの固着、表裏面シート１９，２０と防漏シート２１との固着、表裏面シート１９，２０に対するコア２２の接合、シート１９，２０，２１に対する弾性部材４２，４６，５０の固着には、接着剤、または、ヒートシールやソニックシール等の熱による溶着手段を利用することができる。接着剤には、ホットメルト型接着剤やアクリル系接着剤、ゴム系接着剤を使用することができる。接着剤は、表面シート１９や裏面シート２０、防漏シート２１にスパイラル状や波状、ジグザグ状、ドット状、縞状のうちのいずれかの態様で塗布されていることが好ましい。接着剤をそれらの態様でシート１９，２０，２１に塗布すると、それらシート１９，２０，２１に接着剤が塗布された塗布域と接着剤が塗布されていない非塗布域とが形成され、それらシート１９，２０，２１どうしが断続的に固着され、コア２２がシート１９，２０に断続的に接合されるとともに、弾性部材４２，４６，５０がシート１９，２０，２１に断続的に固着される。
【図面の簡単な説明】
【００６５】
【図１】一例として示す使い捨ておむつの部分破断斜視図。
【図２】後胴周り域の側部の拡大図。
【図３】図１の３−３線端面図。
【図４】図１の４−４線端面図。
【図５】図１の５−５線矢視断面図。
【図６】図１の６−６線矢視断面図。
【図７】装着手順を示す図１のおむつの斜視図。
【図８】他の一例として示す使い捨ておむつの部分破断斜視図。
【図９】後胴周り域の側部の拡大図。
【図１０】図８の１０−１０線端面図。
【図１１】他の一例として示す使い捨ておむつの部分破断斜視図。
【図１２】後胴周り域の側部の拡大図。
【図１３】後胴周り域の側部の拡大図。
【図１４】図１１の１４−１４線端面図。
【符号の説明】
【００６６】
１０Ａ    使い捨ておむつ
１０Ｂ    使い捨ておむつ
１０Ｃ    使い捨ておむつ
１１    前胴周り域
１２    股下域
１３    後胴周り域
１４    前端部
１５    後端部
１６    両側部
１７    両側部
１８    両側部
１９    透液性表面シート
２０    不透液性裏面シート
２１    不透液性防漏シート
２２    吸液性コア
２３    第１テープファスナ
２４    第２テープファスナ
２５    内端部
２６    中間部
２７    外端部
２８    メカニカルファスナ
２９    第１案内テープ
３０    先端部
３１    内端部
３２    中間部
３３    外端部
３４    メカニカルファスナ
３５    第２案内テープ
３６    先端部
３７    ターゲットテープ
３８    メカニカルファスナ
５３    第３案内テープ
５４    先端部
５５    第４案内テープ
５６    先端部
Ｌ１    横方向仮想線
【図１】
2006068281.tif 000003
【図２】
2006068281.tif 000004
【図３】
2006068281.tif 000005
【図４】
2006068281.tif 000006
【図５】
2006068281.tif 000007
【図６】
2006068281.tif 000008
【図７】
2006068281.tif 000009
【図８】
2006068281.tif 000010
【図９】
2006068281.tif 000011
【図１０】
2006068281.tif 000012
【図１１】
2006068281.tif 000013
【図１２】
2006068281.tif 000014
【図１３】
2006068281.tif 000015
【図１４】
2006068281.tif 000016